(57)【要約】【課題】単位期間を構成する正極性期間と負極性期間との期間長の割合を異ならせることにより生じる輝度変化が、ユーザーによってフリッカーとして視認されないようにする。【解決手段】電気光学装置１は、所定電位に対して正極性の電圧をデータ信号として供給する正極性期間と、負極性の電圧をデータ信号として供給する負極性期間とのそれぞれにおいて、表示パネル１０の複数の走査線を所定の順番で選択し、前記正極性期間と前記負極性期間とのそれぞれにおいて、選択された走査線に対応する画素に対し、階調に応じた前記データ信号を供給し、前記正極性期間と前記負極性期間とからなる単位期間を繰り返して、前記データ信号の極性を切り替え、前記単位期間における、前記正極性期間の期間長と前記負極性期間の期間長との割合を調整し、前記単位期間の繰返し周期を、フリッカーに対する人間の視認限界以上の周波数とする。【選択図】図１
2014163992.tif 000002
【特許請求の範囲】
【請求項１】
複数の走査線と複数のデータ線との各交差に対応して設けられた画素を含み、各画素が画素電極と対向電極との間に電気光学材料を狭持する電気光学装置の駆動装置であって、
所定電位に対して正極性の電圧をデータ信号として供給する正極性期間と、負極性の電圧をデータ信号として供給する負極性期間とのそれぞれにおいて、前記複数の走査線を所定の順番で選択する走査線駆動回路と、
前記正極性期間と前記負極性期間とのそれぞれにおいて、選択された走査線に対応する前記画素に対し、階調に応じた前記データ信号を供給するデータ線駆動回路と、
前記正極性期間と前記負極性期間とからなる単位期間を繰り返して、前記データ信号の極性を切り替える制御回路と
を備え、
前記制御回路は、
前記単位期間における、前記正極性期間及び前記負極性期間の期間長の割合を調整し、
前記単位期間の繰返し周期を、フリッカーに対する人間の視認限界以上の周波数とした
電気光学装置の駆動装置。
【請求項２】
前記単位期間の繰返し周期を、６０Ｈｚ以上とした
請求項１に記載の電気光学装置の駆動装置。
【請求項３】
１フレームをｎ個のサブフレーム（ｎは２以上の整数）に分割して、前記画素を含む表示パネルをｎ倍速駆動にて駆動する場合、
前記正極性期間及び前記負極性期間が、各々、１のサブフレームに対応し、
前記単位期間を構成するサブフレームの数を、ｎ個以下とした
請求項１又は２に記載の電気光学装置の駆動装置。
【請求項４】
前記画素の明るさを検出するセンサーを備え、
前記制御回路は、
前記センサーの検出結果に基づいて、前記割合を調整する
請求項１から３のいずれか１項に記載の電気光学装置の駆動装置。
【請求項５】
前記制御回路は、
前記単位期間における、前記正極性期間での前記画素の明るさと、前記負極性期間での前記画素の明るさとの差を閾値以下とするように、前記割合を調整する
請求項４に記載の電気光学装置の駆動装置。
【請求項６】
複数の走査線と複数のデータ線との各交差に対応して設けられた画素を含み、各画素が画素電極と対向電極との間に電気光学材料を狭持する電気光学装置の駆動方法であって、
所定電位に対して正極性の電圧をデータ信号として供給する正極性期間と、負極性の電圧をデータ信号として供給する負極性期間とのそれぞれにおいて、前記複数の走査線を所定の順番で選択し、
前記正極性期間と前記負極性期間とのそれぞれにおいて、選択した走査線に対応する前記画素に対し、階調に応じた前記データ信号を供給し、
前記正極性期間と前記負極性期間とからなる単位期間を繰り返して、前記データ信号の極性を切り替え、
前記単位期間における、前記正極性期間及び前記負極性期間の期間長の割合を調整し、
前記単位期間の繰返し周期を、フリッカーに対する人間の視認限界以上の周波数とした
電気光学装置の駆動方法。
【請求項７】
複数の走査線と複数のデータ線との各交差に対応して設けられ、画素電極と対向電極との間に電気光学材料を狭持する画素と、
所定電位に対して正極性の電圧をデータ信号として供給する正極性期間と、負極性の電圧をデータ信号として供給する負極性期間とのそれぞれにおいて、前記複数の走査線を所定の順番で選択する走査線駆動回路と、
前記正極性期間と前記負極性期間とのそれぞれにおいて、選択された走査線に対応する前記画素に対し、階調に応じた前記データ信号を供給するデータ線駆動回路と、
前記正極性期間と前記負極性期間とからなる単位期間を繰り返して、前記データ信号の極性を切り替える制御回路と
を備え、
前記制御回路は、
前記単位期間における、前記正極性期間及び前記負極性期間の期間長の割合を調整し、
前記単位期間の繰返し周期を、フリッカーに対する人間の視認限界以上の周波数とした
電気光学装置。
【請求項８】
請求項７に記載の電気光学装置を備える電子機器。
【発明の詳細な説明】
【技術分野】
【０００１】
本発明は、フリッカー等の表示不具合の発生を抑える技術に関する。
【背景技術】
【０００２】
液晶を有する電気光学装置では、液晶容量を交流駆動するのが一般的であるが、単に交流駆動しただけでは、液晶に直流成分が印加される場合がある。この種の電気光学装置では、液晶層を挟む画素電極基板と、対向電極基板との物理的な構造が異なり、対向電極から見て高位である正極性電圧が印加された場合と、対向電極から見て低位である負極性電圧が印加された場合とでは、電極と配向膜との界面や配向膜と液晶層等との界面における抵抗値が異なってしまう。これにより、正極性電圧の印加時と負極性電圧の印加時とで液晶層への実効電圧が等しくても電流量が異なり、電荷の移動量に非対称性が生じる。また、この電荷の移動量の非対称性により、液晶内部の電荷に偏りが生じて内部電界が発生する。この内部電界の影響により、実際に液晶層に印加される電圧は、駆動電圧の極性によって非対称となり、液晶層に直流成分が印加されることとなる。
【０００３】
フリッカーや表示画像の焼き付き等の表示不具合の発生を抑えるための発明が、特許文献１に開示されている。特許文献１は、フレーム反転駆動をベースとしつつ、連続する２つ以上のフレームを一つの単位として、単位フレームにおける、正極性の電圧を印加するフレーム及び負極性の電圧を印加するフレームの期間長の割合を調整することを開示している。
【先行技術文献】
【特許文献】
【０００４】
【特許文献１】特開２０１０−７９１５１号公報（段落００８７〜００９３）
【発明の概要】
【発明が解決しようとする課題】
【０００５】
特許文献１に記載の発明では、本来であれば、１フレーム毎に極性反転させて画素を駆動するところを、単位フレームの一部で、極性反転のタイミングを変化させる。よって、特許文献１に記載の発明では、各単位フレームにおいて、正極性又は負極性の電圧が印加されるフレームが、２フレーム以上連続する。同一極性の電圧が印加されるフレームが連続する期間と、それ以外の期間とで液晶応答が異なる場合、各単位フレームに対応して輝度変化が周期的に現れることとなり、この輝度変化がユーザーによってフリッカーとして視認されることがある。
本発明は、上述した事情に鑑みてなされたもので、その目的の一つは、単位期間を構成する正極性期間及び負極性期間の期間長の割合を異ならせることにより生じる輝度変化が、ユーザーによってフリッカーとして視認されないようにすることである。
【課題を解決するための手段】
【０００６】
上記目的を達成するために、本発明に係る電気光学装置の駆動装置は、複数の走査線と複数のデータ線との各交差に対応して設けられた画素を含み、各画素が画素電極と対向電極との間に電気光学材料を狭持する電気光学装置の駆動装置であって、所定電位に対して正極性の電圧をデータ信号として供給する正極性期間と、負極性の電圧をデータ信号として供給する負極性期間とのそれぞれにおいて、前記複数の走査線を所定の順番で選択する走査線駆動回路と、前記正極性期間と前記負極性期間とのそれぞれにおいて、選択された走査線に対応する前記画素に対し、階調に応じた前記データ信号を供給するデータ線駆動回路と、前記正極性期間と前記負極性期間とからなる単位期間を繰り返して、前記データ信号の極性を切り替える制御回路とを備え、前記制御回路は、前記単位期間における、前記正極性期間及び前記負極性期間の期間長の割合を調整し、前記単位期間の繰返し周期を、フリッカーに対する人間の視認限界以上の周波数とした電気光学装置の駆動装置である。
本発明によれば、正極性期間と負極性期間とからなる単位期間の繰返し周期を、フリッカーに対する人間の視認限界以上の周波数とするため、単位期間を構成する正極性期間及び負極性期間の期間長の割合を異ならせることにより生じる輝度変化が、ユーザーによってフリッカーとして視認されないようにすることができる。
【０００７】
本発明に係る電気光学装置の駆動装置において、前記単位期間の繰返し周期を、６０Ｈｚ以上としてもよい。
本発明によれば、単位期間の繰返し周期を、フリッカーに対する人間の一般的な視認限界の周波数とされる６０Ｈｚ以上の周波数とするため、単位期間において、正極性期間及び負極性期間の期間長の割合を異ならせることにより生じる輝度変化が、ユーザーによってフリッカーとして視認されないようにすることができる。
【０００８】
本発明に係る電気光学装置の駆動装置において、１フレームをｎ個のサブフレーム（ｎは２以上の整数）に分割して、前記画素を含む表示パネルをｎ倍速駆動にて駆動する場合、前記正極性期間及び前記負極性期間が、各々、１のサブフレームに対応し、前記単位期間を構成するサブフレームの数を、ｎ個以下としてもよい。
本発明によれば、ｎ倍速駆動にて表示パネルを駆動する場合に、正極性期間及び負極性期間を、各々、１のサブフレームに対応させるため、各フレームに対応して生じる周期的な輝度変化が、ユーザーによってフリッカーとして視認されないようにすることができる。
【０００９】
本発明に係る電気光学装置の駆動装置において、前記画素の明るさを検出するセンサーを備え、前記制御回路は、前記センサーの検出結果に基づいて、前記割合を調整するようにしてもよい。
本発明によれば、実効電圧の差に対応した画素の明るさの差を検出するので、正極性期間と負極性期間とにおける実効電圧の差に基づいて、単位期間における正極性期間及び負極性期間の期間長の割合を調整することができる。
【００１０】
本発明に係る電気光学装置の駆動装置において、前記制御回路は、前記単位期間における、前記正極性期間での前記画素の明るさと、前記負極性期間での前記画素の明るさとの差を閾値以下とするように、前記割合を調整するようにしてもよい。
本発明によれば、正極性期間と負極性期間とにおける画素の明るさの差を閾値以下とするように、正極性期間及び負極性期間の期間長の割合を調整するので、フリッカー量が過大になるのを防止することができる。
【００１１】
なお、本発明は、電気光学装置の駆動装置のほか、電気光学装置の駆動方法、電気光学装置及び電気光学装置を含む電子機器としても観念することが可能である。
【図面の簡単な説明】
【００１２】
【図１】本発明の一実施形態に係る電気光学装置を示す図。
【図２】同電気光学装置における表示パネルの構成を示す図。
【図３】同電気光学装置における画素の構成の説明図。
【図４】同電気光学装置における検出回路の物理的構成の説明図。
【図５】同電気光学装置の表示パネルにおける表示動作を示す図。
【図６】同表示パネルにおける表示動作を示す図。
【図７】同表示パネルにおける表示動作を示す図。
【図８】表示パネルの特性を示す図。
【図９】同電気光学装置の制御回路が実行する処理の流れを示すフローチャート。
【図１０】同電気光学装置の表示パネルにおけるフリッカー量を示すグラフ。
【図１１】同電気光学装置におけるデータ信号の極性の時間変化の様子を示す図。
【図１２】同電気光学装置におけるデータ信号の極性の時間変化の様子を示す図。
【図１３】本発明の一実施形態に係るプロジェクターの構成を示す平面図。
【図１４】従来方式におけるデータ信号の極性の時間変化の様子を示す図。
【発明を実施するための形態】
【００１３】
以下、本発明の実施の形態について図面を参照しつつ説明する。
図１は、本発明の一実施形態に係る電気光学装置１の構成を示すブロック図である。図１に示すように、電気光学装置１は、表示パネル１０と、処理回路２０と、検出回路３０とを備える。処理回路２０は、表示パネル１０を制御する回路モジュールであり、例えばＦＰＣ（flexible printed circuit）基板によって表示パネル１０に接続される。具体的には、処理回路２０は、制御回路２１と、表示データ処理回路２２と、Ｄ／Ａ変換回路２３とを備える。
【００１４】
制御回路２１は、外部の上位装置（図示略）から供給される同期信号Ｖｓｙｎｃに同期して表示パネル１０を制御するための、各種制御信号を生成する。この制御信号については後で説明する。また、制御回路２１は、表示データ処理回路２２を制御する。
表示データ処理回路２２は、上位装置から供給される表示データＶｉｄｅｏを、制御回路２１による制御に従って、内部メモリー（図示略）に一旦記憶した後、表示パネル１０の駆動に同期して読み出す。表示データＶｉｄｅｏは、表示パネル１０における画素の階調を指定するデータである。表示データＶｉｄｅｏは、周期１６．７ミリ秒（周波数でいうと６０Ｈｚ）で、１フレーム分（表示パネル１０の全画素分）を供給する。ここにおいて、フレームとは、表示パネル１０を駆動することによって、画像の１コマ分を表示させるのに要する期間をいう。
Ｄ／Ａ変換回路２３は、制御回路２１による制御に従って、表示データ処理回路２２により読み出された表示データを、アナログのデータ信号Ｖｉｄに変換して、表示パネル１０へ出力する。
【００１５】
図２は、表示パネル１０の構成を示す図である。図２に示すように、表示パネル１０は、表示領域１００の周辺に、走査線駆動回路１３０及びデータ線駆動回路１４０を内蔵した、周辺回路内蔵型の表示パネルである。表示領域１００では、４８０行の走査線１１２が行（Ｘ）方向に延在するように設けられ、また、６４０列のデータ線１１４が列（Ｙ）方向に延在するように、且つ、各走査線１１２と互いに電気的に絶縁を保つように設けられ、更に、４８０行の走査線１１２と６４０列のデータ線１１４との各交差に対応して、画素１１０がそれぞれ配列している。
本実施形態では、表示領域１００において、画素１１０が縦４８０行×横６４０列でマトリクス状に配列するが、本発明をこの配列に限定する趣旨ではない。
【００１６】
図３は、画素１１０の構成を説明する図である。図３には、ｉ行及びこれと１行下で隣接する（ｉ＋１）行と、ｊ列及びこれと１列右で隣接する（ｊ＋１）列との交差に対応する２×２の計４画素分の構成が示されている。ｉ、（ｉ＋１）は、画素１１０が配列する行を一般的に示す場合の記号であって、本実施形態では、１以上４８０以下の整数である。また、ｊ、（ｊ＋１）は、画素１１０が配列する列を一般的に示す場合の記号であって、本実施形態では、１以上６４０以下の整数である。
【００１７】
各画素１１０は、ｎチャネル型のＴＦＴ１１６と液晶容量１２０とを含む。ここで、各画素１１０については互いに同一構成なので、ｉ行ｊ列に位置する画素で代表させて説明する。ｉ行ｊ列の画素１１０におけるＴＦＴ１１６のゲート電極はｉ行目の走査線１１２に接続される一方、そのソース電極はｊ列目のデータ線１１４に接続され、そのドレイン電極は液晶容量１２０の一端である画素電極１１８に接続されている。また、液晶容量１２０の他端は、対向電極１０８に接続されている。この対向電極１０８は、全ての画素１１０にわたって共通であって、時間的に一定の電圧ＬＣｃｏｍが印加されている。ここでの電圧ＬＣｃｏｍは、対向電極１０８に供給されるコモン信号によって、共通電極電位Ｖｃｏｍに設定されている。
【００１８】
表示パネル１０は、特に図示しないが、素子基板と対向基板との一対の基板が一定の間隙を保って貼り合わせられるとともに、この間隙に液晶が封止された構成となっている。このうち、素子基板には、走査線１１２、データ線１１４、ＴＦＴ１１６及び画素電極１１８が、走査線駆動回路１３０やデータ線駆動回路１４０とともに形成される。対向基板には対向電極１０８が形成されている。素子基板と対向基板とは、電極形成面が互いに対向するように、一定の間隙を保って貼り合わせられている。このため、本実施形態において液晶容量１２０は、画素電極１１８と対向電極１０８とが、電気光学材料としての液晶１０５を挟持することによって構成されることとなる。
なお、本実施形態では、液晶容量１２０において保持される電圧実効値がゼロに近ければ、液晶容量を通過する光の透過率が最大となって白色表示になる一方、電圧実効値が大きくなるにつれて透過する光量が減少して、透過率が最小のときに黒色表示になる、ノーマリーホワイトモードに設定されている。
【００１９】
この構成において、走査線１１２に選択電圧を印加し、ＴＦＴ１１６をオン（導通）させるとともに、画素電極１１８に、データ線１１４及びオン状態のＴＦＴ１１６を介して、階調（明るさ）に応じた電圧のデータ信号を供給すると、選択電圧を印加した走査線１１２とデータ信号を供給したデータ線１１４との交差に対応する液晶容量１２０に、階調に応じた電圧実効値を保持させることができる。
従って、液晶容量１２０を透過する光は、画素毎に異ならせることが可能であり、これにより、表示領域１００において画像が形成される。
【００２０】
なお、走査線１１２が非選択電圧になると、ＴＦＴ１１６がオフ（非導通）状態となるが、このときのオフ抵抗が理想的に無限大とはならないので、液晶容量１２０に蓄積された電荷が少なからずリークする。このオフリークの影響を少なくするために、蓄積容量１０９が画素毎に形成されている。この蓄積容量１０９の一端は、画素電極１１８（ＴＦＴ１１６のドレイン）に接続される一方、その他端は、全画素にわたって容量線１０７に共通接続されている。容量線１０７は、時間的に一定の電位、例えば、対向電極１０８と同じ電圧ＬＣｃｏｍに保たれている。
【００２１】
図５は、表示パネル１０における表示動作を示す図である。
本実施形態では、同期信号Ｓｙｎｃにより制御される表示パネル１０の垂直走査信号の周波数は、２４０Ｈｚである。電気光学装置１では、図５（ａ）に示すように、１フレームを第１サブフレーム〜第４サブフレームの４個のサブフレームに分割し、分割した各サブフレームで１〜４８０行目の走査線を走査する、いわゆる４倍速駆動を実現する。すなわち、上位装置から６０Ｈｚの供給速度で供給される表示データＶｉｄｅｏに基づいて、電気光学装置１が２４０Ｈｚの駆動速度で表示パネル１０を駆動することによって、１フレームの画像を表示する。１サブフレームの期間は、１／４フレーム期間に相当し、ここではおよそ４．１６ミリ秒である。電気光学装置１では、例えば図５（ｂ）に示すように、第１サブフレーム及び第３サブフレームにおいて正極性書込を指定し、第２サブフレーム及び第４サブフレームにおいて負極性書込を指定し、サブフレーム毎にデータ信号の極性を反転して、画素に対しデータ信号を供給する。以下の説明では、正極性書込を指定したサブフレームのことを、正極性フレーム（正極性期間）といい、負極性書込を指定したサブフレームのことを、負極性フレーム（負極性期間）という。正極性フレームは正極性フィールドとも呼ばれ、負極性フレームは負極性フィールドとも呼ばれる。
【００２２】
走査線駆動回路１３０は、各サブフレームにおいて、走査信号Ｇ１、Ｇ２、Ｇ３、・・・、Ｇ４８０を、それぞれ１、２、３、・・・、４８０行目の走査線１１２に供給する。ここでは、走査線駆動回路１３０は、選択した走査線への走査信号を電圧ＶＨに相当するＨレベルとし、それ以外の走査線への走査信号を非選択電圧ＶＬ（例えば接地電位Ｇｎｄ）に相当するＬレベルとする。
【００２３】
データ線駆動回路１４０は、サンプリング信号出力回路１４２と、各データ線１１４にそれぞれ対応して設けられたｎチャネル型のＴＦＴ１４６とを有する。サンプリング信号出力回路１４２は、制御回路２１による制御信号Ｃｔｒｌ−ｘに従って、いずれかの走査線１１２が選択され当該走査線に供給される走査信号がＨレベルとなる期間に、順次排他的にＨレベルとなるサンプリング信号Ｓ１、Ｓ２、Ｓ３、・・・、Ｓ６４０を、データ線１１４の各々に対応するように出力する。
なお、制御信号Ｃｒｔｌ−ｘは、実際にはスタートパルスやクロック信号であるが、本発明では直接関係しないので、説明を省略している。また、走査信号がＨレベルとなる期間は、例えば、クロック信号Ｃｌｙの半分周期の期間よりも若干狭められている。
【００２４】
ところで、図１における制御回路２１は、１フレームの各サブフレームを、正極性フレームとするのか、又は、負極性フレームとするのかを指定するための交流化信号ＦＲを、Ｄ／Ａ変換回路２３へ出力する。Ｄ／Ａ変換回路２３は、走査線駆動回路１３０により選択された走査線１１２に位置する画素１行分の表示データＶｉｄｅｏを、制御回路２１から供給された交流化信号ＦＲに従って、サンプリング信号出力回路１４２によるサンプリング信号Ｓ１〜Ｓ６４０の出力に合わせて、正極性又は負極性のデータ信号Ｖｉｄに変換する。具体的には、Ｄ／Ａ変換回路２３は、交流化信号ＦＲがＨレベルのときに選択された行に位置する画素のデータ信号Ｖｉｄについては正極性に、交流化信号ＦＲがＬレベルのときに選択された行に位置する画素のデータ信号Ｖｉｄについては負極性に、それぞれ変換する（図５参照）。
制御回路２１は、Ｄ／Ａ変換回路２３に対し、正極性又は負極性のデータ信号Ｖｉｄに変換するように制御するとともに、この読み出しに合わせて、サンプリング信号Ｓ１〜Ｓ６４０がこの順番で排他的にＨレベルとなるようにサンプリング信号出力回路１４２を制御する。サンプリング信号Ｓ１〜Ｓ６４０が順番にＨレベルになると、ＴＦＴ１４６が順番にオンして画像信号線１７１に供給されたデータ信号Ｖｉｄが１〜６４０列目のデータ線１１４に順番にサンプリングされる。
なお、正極性とは、画素電極１１８への印加電圧を対向電極１０８への印加電圧ＬＣｃｏｍよりも高位側とする場合をいい、負極性とは、画素電極１１８への印加電圧を対向電極１０８への印加電圧ＬＣｃｏｍよりも低位側とする場合をいう。
【００２５】
対向電極１０８に印加される電圧ＬＣｃｏｍは、図５（ｂ）に示すように、工場出荷時において、基準電圧Ｖｃよりも低位側に設定される。これは、画素電極をＴＦＴで駆動するアクティブマトリクス型の電気光学装置では、いわゆるプッシュダウン（突き抜け、フィードスルーなどとも呼ばれる）が発生することや、液晶容量のリークが正極性の電圧を保持する場合と負極性の電圧を保持する場合とで異なること等による。
仮に電圧ＬＣｃｏｍを基準電圧Ｖｃと一致させた場合、負極性書込による液晶容量１２０の電圧実効値が、正極性書込による電圧実効値よりも若干大きくなってしまう（ＴＦＴ１１６がｎチャネルの場合）ので、この差が相殺されるような最適値に、電圧ＬＣｃｏｍを基準電圧Ｖｃよりも低位側にオフセットして設定している。
【００２６】
図５には、第１サブフレームにおける１行目の走査線の走査線が選択される期間におけるデータ信号Ｖｉｄの電圧波形の一例が示されている。図５において、電圧Ｖｂ（＋）、Ｖｂ（−）は、それぞれ最低階調の黒色に相当する正極性、負極性電圧であり、基準電圧Ｖｃを中心に対称の関係にある。基準電圧Ｖｃは、データ信号Ｖｉｄの振幅中心であり、電圧Ｖｂ（＋）、Ｖｂ（−）の中間の電圧である。電圧Ｖｗ（＋）、Ｖｗ（−）は、それぞれ最大階調の白色に相当する正極性、負極性電圧であり、基準電圧Ｖｃを中心に対称の関係にある。
なお、本実施形態においては、特に説明のない限り、接地電位Ｇｎｄを電圧の基準とする。
【００２７】
図１に示す検出回路３０は、光センサー３１と、データ解析部３２とを有する。光センサー３１は、表示パネル１０の画素の明るさを検知するセンサーである。光センサー３１は、例えばフォトダイオードを有し、フォトダイオードに光が入射すると、フォトダイオードに流れる電流の変化を電流−電圧変換回路により電圧の変化に変換し、画素の明るさを示すアナログの信号Ｓｂを、データ解析部３２に供給する。本実施形態においては、光センサー３１から出力される信号Ｓｂは、電圧値によって画素の明るさを表し、検知した明るさに応じて電圧が変化する。
【００２８】
図４は、検出回路３０の物理的構成を説明する図である。図４に示すように、光センサー３１は、表示パネル１０の近傍に配置される。表示パネル１０を透過した光は、図４において矢印で示したように、ミラー３３によって光センサー３１に導かれる。
なお、本実施形態においては、４８０行目の画素の光がミラー３３によって光センサー３１に導かれ、この画素（検出用画素）の明るさが検知される。この検出用画素は、常に中間階調又はその付近の階調を表示する画素である。
【００２９】
データ解析部３２は、光センサー３１から供給される信号Ｓｂを取得し、取得した信号ｓｂに基づいて、画素の明るさに関する情報を出力する。データ解析部３２は、画素が正極性電圧を保持している期間（正極性フレーム）と、負極性電圧を保持している期間（負極性フレーム）とで、どちらの方が明るい状態かを信号Ｓｂに基づいて検知し、検知結果を示す信号ｓａ１を、制御回路２１へ出力する。また、データ解析部３２は、信号Ｓｂをデジタル信号に変換して高速フーリエ変換処理を行い、画素が正極性電圧を保持している時の明るさと、負極性電圧を保持している時の明るさの差をフリッカー量として検知し、検知したフリッカー量を示す信号ｓａ２を、制御回路２１へ出力する。
なお、フリッカー量は、正極性電圧保持時の実効電圧と負極性電圧保持時の実効電圧の差に対応するため、フリッカー量を得るということは、正極性電圧保持時の実効電圧と負極性電圧保持時の実効電圧の差を得ていることと等しい。すなわち、検出回路３０は、正極性電圧保持時の実効電圧と、負極性電圧保持時の実効電圧との差を検出する回路といって差し支えない。
【００３０】
次に、電気光学装置１におけるデータ信号の極性の切り替えについて説明する。
電気光学装置１において、制御回路２１は、正極性フレームと負極性フレームとからなるフレームを繰り返すことにより、データ信号の極性を切り替える。制御回路２１は、予め定められた第１設定値と第２設定値との一方をレジスター（図示略）に記憶し、記憶した設定値に応じて、１フレームにおける正極性フレーム及び負極性フレームの期間長の割合を調整する。
【００３１】
制御回路２１は、第１設定値をレジスターに記憶した場合には、図６に示すように、１フレームのうち、第３サブフレームを正極性フレームとし、第１、第２及び第４サブフレームを負極性フレームとする。この場合、１フレームにおいて、正極性フレームが２５％、負極性フレームが７５％の期間長である。制御回路２１は、第２設定値をレジスター記憶した場合には、図７に示すように、１フレームのうち、第１、第２及び第３サブフレームを正極性フレームとし、第４サブフレームを負極性フレームとする。この場合、１フレームにおいて、正極性フレームが７５％、負極性フレームが２５％の期間長である。図６及び図７は、それぞれ図５に対応する図であり、一部のサブフレームに指定されるデータ信号の極性が異なるだけで、それ以外の点では共通する。
なお、本実施形態において、第１設定値は、マイナスの整数の値であり、第２設定値は、プラスの整数の値である。ここでは、制御回路２１は、第１設定値として「−１」を用い、第２設定値として「＋１」を用いる。
【００３２】
上記とは別の設定値として、レジスターに記憶される設定値が「０」である場合、制御回路２１は、図５に示すように、１フレームにおいて、正極性フレーム及び負極性フレームがそれぞれ５０％の期間長である。この場合、各画素において、液晶容量１２０に正極性電圧が保持される期間と、負極性電圧が保持される期間とが、フレームの期間の半分ずつとなるので、液晶容量１２０には直流成分が印加されないはずである。しかしながら、経年変化などによりＴＦＴのプッシュダウン量や、液晶容量におけるリーク量が工場出荷時から変化したとき、電圧ＬＣｃｏｍ（共通電極電位Ｖｃｏｍ）は、もはや最適値ではなくなり、液晶容量１２０に直流成分が印加され、フリッカーが発生することとなる。
また、表示パネルは、個々に特性が異なり、制御回路２１のレジスターに記憶される設定値を「０」にしても、一定時間が経過するとフリッカーを最小にする電圧ＬＣｃｏｍを増やす必要があるパネルと、フリッカーを最小にする電圧ＬＣｃｏｍを減らす必要があるパネルとがある。この場合、レジスターの値を「０」にしても、フリッカーが発生することになる。
【００３３】
図８は、制御回路２１のレジスターに記憶される設定値と、レジスターに記憶される設定値に基づいて電圧を印加して一定時間経過した後に生じるフリッカーについて、フリッカーを最小にする電圧ＬＣｃｏｍの変化量を表した図である。図８のグラフにおいて、横軸はレジスターに記憶される設定値を表し、この設定値が正の場合には、１フレームにおいて正極性フレームの期間の方が長く、この設定値が負の場合には、１フレームにおいて負極性フレームの期間の方が長くなる。縦軸は、一定時間経過した後に、どれだけ電圧ＬＣｃｏｍを変更するとフリッカーが最小になるのかを表している。
【００３４】
図８の（１）のパネルは、レジスターに記憶される設定値が「０」のときにおいて、一定時間が経過した後にフリッカーを最小にするには、電圧ＬＣｃｏｍに印加する電圧を増やす必要のあるパネルである。図８の（２）のパネルは、レジスターに記憶される設定値が「０」のときにおいて、一定時間が経過した後にフリッカーを最小にするには、電圧ＬＣｃｏｍに印加する電圧を減らす必要のあるパネルである。
なお、第１設定値は、（１）及び（２）の表示パネルの両方について、一定時間経過後にフリッカーを最小にするには、電圧ＬＣｃｏｍを増やす必要が生じる。また、第２設定値は、（１）及び（２）の表示パネルの両方について、一定時間経過後にフリッカーを最小にするには、電圧ＬＣｃｏｍを減らす必要が生じる。
【００３５】
ここで、制御対象となる表示パネルの特性のばらつきが、図８に示す（１）と（２）との間に収まると仮定した場合、レジスターに記憶される設定値を第１設定値とした場合、フリッカーを最小にするための電圧ＬＣｃｏｍの変化は必ず正となる。一方で、レジスターに記憶される設定値を第２設定値とした場合、フリッカーを最小にするための電圧ＬＣｃｏｍの変化は必ず負となる。ここで、第１設定値は、１フレームにおいて、正極性フレームが３０％以下で、負極性フレームが７０％以上の期間長に対応した設定値である。第２設定値は、１フレームにおいて、正極性フレームが６５％以上で、負極性フレームが３５％以下の期間長に対応した設定値である。
【００３６】
ところで、レジスターに記憶された設定値が一定である期間においては、各フレームで、第１〜第４サブフレームの各サブフレームに指定される極性が同一である。よって、本実施形態の電気光学装置１は、１フレーム（つまり４個のサブフレーム）をひとつの単位とし、この単位フレームを繰り返すことによって、データ信号の極性を切り替える。この場合、データ信号の極性は、単位フレームの繰返し周期に従って周期的に変化する。よって、単位フレームとは、データ信号の極性の変化の周期を規定する単位期間のことをいう。
以上の構成を有する電気光学装置１では、１フレームにおける正極性フレーム及び負極性フレームの期間長の割合を調整し、フリッカーを最小にするための電圧ＬＣｃｏｍの変化を、正負の各方向に交互に切り替えることによって、フリッカー量が過大になるのを防止する。
【００３７】
図９は、制御回路２１が実行する処理の流れを示すフローチャートである。図１０は、表示パネル１０におけるフリッカー量の時間変化の様子を示すグラフである。図１０のグラフにおいて、横軸が時刻を表し、縦軸がフリッカー量を表す。以下の説明において、制御回路２１は、初期設定として、第１設定値「−１」（つまり、フリッカーを最小にするための電圧ＬＣｃｏｍの変化が正）をレジスターに記憶しているものとする。
制御回路２１は、まず、データ解析部３２から信号ｓａ１、ｓａ２を取得する（ステップＳＴ１）。データ解析部３２は、現在発生しているフリッカーのフリッカー量を検出して、その検出結果に応じた信号ｓａ１、ｓａ２を、制御回路２１へ出力する。
【００３８】
次に、制御回路２１は、電気光学装置１を通電した状態で、予め定められた一定時間（例えば２秒）をカウントする（ステップＳＴ２）。この一定時間は２秒に限定されるものではなく、２秒未満又は２秒を超える時間であってもよい。制御回路２１は、一定時間をカウントし終えると、データ解析部３２から信号ｓａ１、ｓａ２を取得する（ステップＳＴ３）。
【００３９】
次に、制御回路２１は、ステップＳＴ３の処理で取得した信号ｓａ１、ｓａ２に基づいて、表示パネル１０発生するフリッカーのフリッカー量が閾値以上かどうかを判断する（ステップＳＴ４）。この閾値は、ユーザーが表示パネル１０を見たときにフリッカーとして認識されない値に設定されている。
表示パネル１０は、図８に示すように個体差があり、正極性電圧と負極性電圧との印加時間比が同じであっても、時間が経過すると液晶容量１２０に直流成分が作用し、正極性電圧で保持された電圧実効値と、負極性電圧で保持された電圧実効値とで差が生じてくるものがある。正極性電圧で保持された電圧実効値と、負極性電圧で保持された電圧実効値とで差が増加すると、フリッカーも増加する。
ただし、図１０に示す期間ｔ１では、フリッカーが時間経過とともに増加するものの、フリッカー量は閾値未満である。この場合、制御回路２１は、フリッカー量が閾値未満と判断して（ステップＳＴ４；ＮＯ）、ステップＳＴ２の処理に戻る。すなわち、フリッカー量は閾値未満である期間においては、制御回路２１は、ステップＳＴ２、ＳＴ３の処理を繰り返し実行し、フリッカーの検出結果を示す信号ｓａ１、ｓａ２を、一定時間が経過する毎に、データ解析部３２から取得する。
【００４０】
時刻ｔ２に達し、制御回路２１は、フリッカー量が閾値以上になったと判断すると（ステップＳＴ４；ＹＥＳ）、次に、レジスターの値を第１設定値として表示パネル１０を駆動しているかどうかを判断する（ステップＳＴ５）。ここでは、制御回路２１は、第１設定値として表示パネル１０を駆動していると判断して（ステップＳＴ５；ＹＥＳ）、レジスターの値を、第１設定値から第２設定値に変更して表示パネル１０を駆動する（ステップＳＴ６）。
初期設定を第１設定値にすると、表示パネル１０では、電荷移動の非対称性によって徐々に、フリッカーを最小にするための電圧ＬＣｃｏｍが正に変化する。その理由は、画素電極基板又は対向電極基板に電荷の偏りが生じて、正極性印加時と負極性印加時の印加電圧の対称点が変化したことに相当するからである。これによって、コモン信号の共通電極電位Ｖｃｏｍがどのような値に設定されていたとしても、最終的には、フリッカーを最小にするための電圧ＬＣｃｏｍと共通電極電位Ｖｃｏｍとの差が増加していく。これによって、表示パネル１０ではフリッカーが増加する。このフリッカーを最小にするための電圧ＬＣｃｏｍと共通電極電位Ｖｃｏｍとの差が閾値に達したときに、制御回路２１は、第１設定値から第２設定値に変更する。この設定変更によって、フリッカーを最小にするための電圧ＬＣｃｏｍは負に変化し、フリッカーは、減少していく（図１０の期間ｔ３参照）。
【００４１】
次に、制御回路２１は、データ解析部３２から信号ｓａ１、ｓａ２を取得する（ステップＳＴ８）。ここにおいて、検出回路３０は、ステップＳＴ６の処理で設定値が変更された後のフリッカーを検出して、その検出結果を制御回路２１へ出力する。次に、制御回路２１は、電気光学装置１を通電した状態で、予め定められた一定時間（例えば２秒）をカウントする（ステップＳＴ９）。この一定時間は２秒に限定されるものではなく、２秒未満又は２秒を超える時間であってもよい。制御回路２１は、一定時間をカウントし終えると、データ解析部３２から信号ｓａ１、ｓａ２を取得する（ステップＳＴ１０）。
【００４２】
次に、制御回路２１は、ステップＳＴ１０の処理で取得した信号ｓａ１、ｓａ２に基づいて、フリッカー量が閾値以上かどうかを判断する（ステップＳＴ１１）。この閾値は、前述した閾値と同じ値であり、ユーザーが表示パネル１０を見たときにフリッカーとして視認されない値に設定されている。ここで、制御回路２１は、フリッカー量が閾値未満でないと判断した場合には（ステップＳＴ１１；ＮＯ）、ステップＳＴ９の処理に戻る。一方、制御回路２１は、閾値未満であると判断した場合には（ステップＳＴ１１；ＹＥＳ）、ステップＳＴ２の処理に戻る。
期間ｔ３においてフリッカーが減少して、フリッカーを最小にするための電圧ＬＣｃｏｍが負に変化し続けた結果、共通電極電位Ｖｃｏｍと一致したときに、フリッカーは最小量となる（図１０の時刻ｔ４参照）。しかし、その後、フリッカーを最小にするための電圧ＬＣｃｏｍは更に負に変化し、再びこのＬＣｃｏｍと共通電極電位Ｖｃｏｍとの差が増加して、フリッカーが増加する（図１０の期間ｔ５参照）。
【００４３】
制御回路２１は、ステップＳＴ１の処理に戻ると、上述した手順で処理ステップＳＴ１〜ＳＴ４を実行する。そして、時刻ｔ６に達し、制御回路２１は、フリッカー量が閾値以上になったと判断すると（ステップＳＴ４；ＹＥＳ）、レジスターの値を第１設定値として表示パネル１０を駆動しているかどうかを判断する（ステップＳＴ５）。ここでは、制御回路２１は、第２設定値として表示パネル１０を駆動しているから、ステップＳＴ５の処理で「ＮＯ」と判断し、レジスターの値を、第２設定値から第１設定値に変更して表示パネル１０を駆動する（ステップＳＴ７）。
【００４４】
前述したように、設定値を第２設定値にすると、表示パネル１０では、電荷移動の非対称性によって徐々に、フリッカーを最小にするための電圧ＬＣｃｏｍが負に変化する。これによって、共通電極電位Ｖｃｏｍがどのような値に設定されていたとしても、最終的には、フリッカーを最小にするための電圧ＬＣｃｏｍと共通電極電位Ｖｃｏｍとの差が増加していき、表示パネル１０ではフリッカーが増加する。このフリッカーを最小にするための電圧ＬＣｃｏｍと共通電極電位Ｖｃｏｍとの差が閾値に達したときに、制御回路２１は、第２設定値から第１設定値に変更する。この設定変更によって、フリッカーを最小にするための電圧ＬＣｃｏｍは正に変化し、フリッカーは、徐々に減少していく（図１０の期間ｔ７参照）。その後、制御回路２１は、ステップＳＴ４の処理でフリッカー量が閾値以上であると判断すると、ステップＳＴ５〜ＳＴ７の処理を実行して、レジスターの値を、第１設定値から第２設定値に変更する（図１０の時刻ｔ８参照）。
【００４５】
以降においても、制御回路２１は、図９に示す処理を繰り返し実行し、フリッカー量が閾値以上となった場合には、レジスターの値を一方から他方に切り替えて、１フレームにおける正極性フレーム及び負極性極性フレームの期間長の割合を調整する。この調整により、図１０のグラフに示すように、制御回路２１は、１フレームにおける、正極性フレームでの画素の明るさと負極性フレームでの画素の明るさとの差、すなわち、フリッカー量を閾値以下の範囲に収めることができる。
【００４６】
ところで、以上の手順でデータ信号の極性を時間変化させると、各フレームにおいて、正極性フレーム及び負極性フレームの一方が７５％、他方が２５％の期間長となる。すなわち、同一極性の電圧が連続して印加されるサブフレームが、少なくとも２個連続する。フリッカーが発生する状況下では、このサブフレームでの液晶応答が、他のサブフレームでの液晶応答と異なるため、この液晶応答の相違による輝度差が、ユーザーによって視認されてしまうことがある。
【００４７】
図１４は、単位フレームを構成するサブフレームの数を１０個とした場合の、データ信号の極性の時間変化の様子を示す図である。
図１４（ａ）に示すように、単位フレームにおいて、正極性フレーム及び負極性フレームの期間長がそれぞれ５０％である場合、仮にフリッカー量がゼロであれば、フリッカーがユーザーによって視認されることがない。しかしながら、図１４（ｂ）に示すように、フリッカーを減少させるために、単位フレームにおける、正極性フレーム及び負極性フレームの期間長の割合を異ならせた場合、同一極性の電圧が連続して印加されるサブフレームと、その他のサブフレーム（すなわち、サブフレーム毎に極性反転する期間）との輝度差が、ユーザーによって視認されることがある。１０個のサブフレームで一つの単位フレームを構成して、４倍速駆動にて表示パネルを駆動すると、周期２４Ｈｚのフリッカーがユーザーによって視認されてしまい、８倍速駆動にて表示パネルを駆動すると、周期４８Ｈｚのフリッカーがユーザーによって視認されてしまう。
これに対し、本実施形態の電気光学装置１では、単位フレームにおける、正極性フレーム及び負極性フレームの期間長の割合を異ならせた場合であっても、同一極性の電圧が連続して印加されるサブフレームと、その他のサブフレームとの輝度差がフリッカーとしてユーザーにより視認されにくい。
【００４８】
図１０は、電気光学装置１におけるデータ信号の極性の時間変化の様子を示す図である。図１０（ａ）は、設定値が「０」の場合に相当し、１フレームにおいて、負極性フレーム及び正極性フレームがそれぞれ５０％の期間長である。図１０（ｂ）は、設定値が「−１」の場合に相当し、１フレームにおいて、正極性フレームが２５％、負極性フレームが７５％の期間長である。図１０（ｃ）は、設定値が「＋１」の場合に相当し、１フレームにおいて、正極性フレームが７５％、負極性フレームが２５％の期間長である。
制御回路２１が、１フレームを４個のサブフレームに分割した４倍速駆動にて、表示パネル１０を駆動した場合、図１０（ｂ）、（ｃ）に示すように、各フレームの先頭から３個のサブフレームと最後のサブフレームとで、輝度差が生じることがある。この場合、各フレームに対応して周期的な輝度変化が発生するが、その発生周期は、１フレームの周期と同じ６０Ｈｚとなる。一般に、人間の目のフリッカー（つまり点滅）に対する視認限界の周波数は、５０Ｈｚから６０Ｈｚといわれており、この輝度変化の発生周期は、人間の視認限界以上の周波数である。よって、電気光学装置１が、各フレームにおいて、同一極性の電圧が印加されるサブフレームを連続させた場合であっても、単位フレームの繰返し周期を６０Ｈｚとしているから、周期的に発生する輝度変化はユーザーによって視認されない。
【００４９】
ところで、フリッカーに対して人間の視認限界となる周波数は、個人差、点滅の周波数や光の明るさ、目の疲労度等の複数の原因によって変化する。本発明では、これらの複数の原因に基づいて、フリッカーに対して人間の視認限界となる周波数を規定してもよい。よって、電気光学装置１においては、単位フレームの繰返し周期を、６０Ｈｚよりも高い周波数、又は、６０Ｈｚよりも低い周波数としてもよい。
以上説明した実施形態のとおり、電気光学装置１は、単位フレームの繰返し周期を、フリッカーに対する人間の視認限界以上の周波数とする。電気光学装置１によれば、フリッカーや表示画像の焼き付き等の表示不具合の発生を抑えるために、同一極性の電圧が印加されるサブフレームを連続させた場合であっても、周期的に発生する輝度変化が、ユーザーによってフリッカーとして視認されてしまうことがない。
【００５０】
本発明は、上述した実施形態と異なる形態で実施することが可能である。また、以下に示す変形例は、各々を適宜に組み合わせてもよい。
本発明は、４倍速駆動にて表示パネルを駆動するのではなく、８倍速駆動等の他の倍速駆動にて表示パネルを駆動してもよい。
図１１は、８倍速駆動の場合のデータ信号の極性の時間変化の様子を示す図である。図１１（ａ）は、設定値が「０」の場合に相当し、１フレームにおいて、正極性フレーム及び負極性フレームの期間長が、それぞれ５０％である。図１１（ｂ）は、１フレームにおいて、正極性フレームが４０％、負極性フレームが６０％の期間長である。図１１（ｃ）は、１フレームにおいて、正極性フレームが６０％、負極性フレームが４０％の期間長である。この場合、１フレームが８個のサブフレームで構成されることとなるが、同一極性の電圧が連続して印加されるサブフレームと、その他のサブフレームとの輝度差が生じたとしても、これに起因する輝度変化の発生周期は６０Ｈｚである。よって、この周期的に発生する輝度変化が、ユーザーによってフリッカーとして視認されてしまうことがない。
【００５１】
また、この変形例の場合、電気光学装置１は、１フレームにおいて、正極性フレームが２５％、負極性フレームが７５％の期間長であり、正極性フレームが７５％、負極性フレームが２５％であるように、期間長を調整することも可能である。電気光学装置１では、単位フレームを構成する各サブフレームの期間が短いほど、正極性フレーム及び負極性フレームの期間長の割合の差を小さくすることができる点で、好適である。ただし、フリッカーを最小にするための電圧ＬＣｃｏｍの変化の方向を所望する方向に変化させることができるのであれば、正極性フレーム及び負極性フレームの期間長の割合は、前述した割合以外の割合であってもよい。
一般化すると、電気光学装置１では、１フレームをｎ個のサブフレーム（ｎは２以上の整数）に分割して、表示パネルをｎ倍速駆動にて駆動する場合に、単位フレームを構成するサブフレームの数を、ｎ個以下とするとよい。
【００５２】
また、単位フレームは、１フレームに対応していなくてもよい。すなわち、単位フレームを構成するサブフレーム数と、１フレームを構成するサブフレーム数とが異なっていてもよい。
また、本発明は、倍速駆動を採用しない電気光学装置に適用されてもよい。この場合であっても、電気光学装置は、単位フレームの繰返し周期を、フリッカーに対する人間の視認限界以上の周波数とすればよい。
【００５３】
上述した実施形態おいては、液晶容量１２０を電圧無印加状態において白色を表示するノーマリーホワイトモードとしたが、電圧無印加状態において黒色を表示するノーマリーブラックモードとしてもよい。
上述した実施形態においては、４８０行目の画素の明るさを光センサー３１で検知しているが、明るさを検知する画素を４８０行目に限定されるものではなく他の行の画素でもよい。
上述した実施形態においては、検出回路３０は、光センサー３１を用いて画素の明るさを検知することにより、フリッカー量を検出しているが、フリッカー量を検出する方法は、上述した実施形態の方法に限定されるものではない。例えば、画素に流れる電流を検知するセンサーを設け、正極性電圧印加時に画素に流れる電流と、負極性電圧印加時に画素に流れる電流の差を検出し、この差からフリッカー量を検出するようにしてもよい。
上述した実施形態において、電気光学装置１は、対向電極１０８の電圧ＬＣｃｏｍ（共通電極電位Ｖｃｏｍ）の調整を行ってもよい。
上述した各実施形態の電気光学装置１においては、１行目から６４０行目の方向に順番に走査線を選択していたが、どのような順番で走査線を選択してもよい。例えば、電気光学装置１においては、複数の走査線を第１走査線群と第２走査線群に分けて、１個のサブフレームにおいて、第１走査線群におけるいずれか１本の走査線と、第２走査線群におけるいずれか１本とを交互に選択するとともに、１個のサブフレームにおいて各走査線を２回ずつ選択する、いわゆる倍速領域走査反転駆動を採用してもよい。
【００５４】
次に、上述した各実施形態に係る電気光学装置を用いた電子機器の一例として、表示パネル１０をライトバルブとして用いた投射型表示装置（プロジェクター）について説明する。図１３は、このプロジェクターの構成を示す平面図である。
図１３に示すように、プロジェクター２１００の内部には、ハロゲンランプ等の白色光源からなるランプユニット２１０２が設けられている。このランプユニット２１０２から射出された投射光は、内部に配置された３枚のミラー２１０６及び２枚のダイクロイックミラー２１０８によってＲ色、Ｇ色、Ｂ色の３原色に分離されて、各原色に対応するライトバルブ１０Ｒ、１０Ｇ及び１０Ｂにそれぞれ導かれる。なお、Ｂ色の光は、他のＲ色やＧ色と比較すると、光路が長いので、その損失を防ぐために、入射レンズ２１２２、リレーレンズ２１２３及び出射レンズ２１２４からなるリレーレンズ系２１２１を介して導かれる。
【００５５】
このプロジェクター２１００では、表示パネル１０を含む電気光学装置が、Ｒ色、Ｇ色、Ｂ色のそれぞれに対応して３組設けられる。ライトバルブ１０Ｒ、１０Ｇ及び１０Ｂの構成は、上述した表示パネル１０と同様である。Ｒ色、Ｇ色、Ｂ色のそれぞれの原色成分の映像信号がそれぞれ外部上位回路から供給されて、ライトバルブ１０Ｒ、１０Ｇ及び１０がそれぞれ駆動される構成となっている。
ライトバルブ１０Ｒ、１０Ｇ、１０Ｂによってそれぞれ変調された光は、ダイクロイックプリズム２１１２に３方向から入射する。そして、このダイクロイックプリズム２１１２において、Ｒ色及びＢ色の光は９０度に屈折する一方、Ｇ色の光は直進する。したがって、各原色の画像が合成された後、スクリーン２１２０には、投射レンズ２１１４によってカラー画像が投射されることとなる。ダイクロイックプリズム２１１２Ｒには、Ｒ色に対応した光センサー３１Ｒが設けられ、ダイクロイックプリズム２１１２Ｇには、Ｇ色に対応した光センサー３１Ｇが設けられ、ダイクロイックプリズム２１１２Ｂには、Ｂ色に対応した光センサー３１Ｂが設けられる。各光センサーの構成は、上述した実施形態と同じでよいし、それを用いた処理についても、上述した実施形態と同じでよい。各光センサーは、これとは別の位置に設けられてもよい。
【００５６】
なお、ライトバルブ１０Ｒ、１０Ｇ及び１０Ｂには、ダイクロイックミラー２１０８によって、Ｒ色、Ｇ色、Ｂ色のそれぞれに対応する光が入射するので、カラーフィルターを設ける必要はない。また、ライトバルブ１０Ｒ、１０Ｂの透過像は、ダイクロイックプリズム２１１２により反射した後に投射されるのに対し、ライトバルブ１０Ｇの透過像はそのまま投射されるので、ライトバルブ１０Ｒ、１０Ｂによる水平走査方向は、ライトバルブ１０Ｇによる水平走査方向と逆向きにして、左右を反転させた像を表示する構成となっている。
【００５７】
また、プロジェクター２１００は、各色成分に対応する複数のライトバルブを有するものに限定されない。プロジェクター２１００は、単一のライトバルブを有していてもよい。この場合、光学フィルター等を用いて画素毎に対応する色が設定される。また、ライトバルブは、透過型の液晶パネルを用いたものに限定されない。プロジェクター２１００は、反射型の液晶パネル、又は、有機ＥＬ（Electro-Luminescence）パネル等の液晶以外の電気光学素子、若しくはデジタルミラーデバイス等を用いたものであってもよい。また、ランプユニット２１０２に代えて、ＬＥＤ（Light Emitting Diode）や半導体レーザー等の固体光源が、プロジェクター２１００の光源として採用されてもよい。
【００５８】
電子機器としては、図１３を参照して説明したプロジェクターの他にも、テレビジョンや、ビューファインダー型・モニター直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等が挙げられる。そして、これらの各種の電子機器に対して、上記電気光学装置が適用可能である。
【符号の説明】
【００５９】
１…電気光学装置、１０…表示パネル、１０５…液晶、１０８…対向電極、１１８…画素電極、１２０…液晶容量、１３０…走査線駆動回路、１４０…データ線駆動回路、２０…処理回路、２１…制御回路、２２…表示データ処理回路、２３…Ｄ／Ａ変換回路、３０…検出回路、３１…光センサー、３２…データ解析部、２１００…プロジェクター。
【図１】
2014163992.tif 000003
【図２】
2014163992.tif 000004
【図３】
2014163992.tif 000005
【図４】
2014163992.tif 000006
【図５】
2014163992.tif 000007
【図６】
2014163992.tif 000008
【図７】
2014163992.tif 000009
【図８】
2014163992.tif 000010
【図９】
2014163992.tif 000011
【図１０】
2014163992.tif 000012
【図１１】
2014163992.tif 000013
【図１２】
2014163992.tif 000014
【図１３】
2014163992.tif 000015
【図１４】
2014163992.tif 000016